(57)【特許請求の範囲】
【請求項１】
防湿シートの外周部を除く部位に押し花保存剤を位置させるとともに、台板を位置させる台板の配置工程と、この台板の配置工程の前に台板上に押し花を配置する、あるいは台板等の配置工程後に台板上に押し花を配置する押し花の配置工程と、この押し花の配置工程後に前記台板の外周部に位置する前記防湿シートにリング状に接着剤あるいは粘着剤を塗布する接着剤あるいは粘着剤の塗布工程と、この接着剤あるいは粘着剤の塗布工程および前記押し花の配置工程後に前記防湿シートを覆うように透明板を位置させ、外周部を前記接着剤あるいは粘着剤で空気抜き部を除いて固定する固定工程と、この固定工程後に前記空気抜き部よりパイプ材を用いて真空ポンプや口で透明板と防湿シート間の空気を外部へ排出して空気を抜き取り、パイプ材を抜き取り、空気抜き部を固定する空気抜き取り工程と、この空気抜き取り工程後に前記防湿シートの接着剤あるいは粘着剤が塗布された背面部位にしわ防止板を接着剤、粘着剤あるいは両面接着テープ等で枠状に固定するしわ防止固定工程とを含むことを特徴とする押し花飾の製造方法。
【請求項２】
防湿シートの外周部を除く部位に押し花保存剤を含浸あるいは塗布させた台板を位置させる台板の配置工程と、この台板の配置工程の前に台板上に押し花を配置する、あるいは台板の配置工程後に台板上に押し花を配置する押し花配置工程と、この押し花配置工程の後に前記台板の外周部に位置する前記防湿シートにリング状に接着剤あるいは粘着剤を塗布する接着剤あるいは粘着剤の塗布工程と、この接着剤あるいは粘着剤の塗布工程および前記押し花の配置工程後に前記防湿シートを覆うように透明板を位置させ、外周部を前記接着剤あるいは粘着剤で空気抜き部を除いて固定する固定工程と、この固定工程後に前記空気抜き部よりパイプ材を用いて真空ポンプや口で透明板と防湿シート間の空気を外部へ排出して空気を抜き取り、パイプ材を抜き取り、空気抜き部を固定する空気抜き取り工程と、この空気抜き取り工程後に前記防湿シートの接着剤あるいは粘着剤が塗布された背面部位にしわ防止板を接着剤、粘着剤あるいは両面接着テープ等で枠状に固定するしわ防止固定工程とを含むことを特徴とする押し花飾の製造方法。
【請求項３】
防湿シートの外周部を除く部位に押し花保存剤を位置させるとともに、台板を位置する、あるいは押し花保存剤を塗布あるいは含浸させた台板を位置させる台板の配置工程と、この台板の配置工程の前に台板上にホットメルトパウダーを位置させるとともに押し花を位置させ、アイロン等の加熱装置で押し花を仮止めしながら押し花を配置する、あるいは台板の配置工程の後に台板上にホットメルトパウダーを位置させるとともに押し花を位置させ、アイロン等の加熱装置で押し花を仮止めしながら押し花を配置する押し花の配置工程と、この押し花配置工程後に前記台板の外周部に位置する前記防湿シートにリング状に接着剤あるいは粘着剤を塗布する接着剤あるいは粘着剤の塗布工程と、この接着剤あるいは粘着剤の塗布工程および前記押し花の配置工程後に前記防湿シートを覆うように透明板を位置させ、外周部を前記接着剤あるいは粘着剤で空気抜き部を除いて固定する固定工程と、この固定工程後に前記空気抜き部よりパイプ材を用いて真空ポンプや口で透明板と防湿シート間の空気を外部へ排出して空気を抜き取り、パイプ材を抜き取り、空気抜き部を固定する空気抜き取り工程と、この空気抜き取り工程後に前記防湿シートの接着剤あるいは粘着剤が塗布された背面部位にしわ防止板を接着剤、粘着剤あるいは両面接着テープ等で枠状に固定するしわ防止固定工程とを含むことを特徴とする押し花飾の製造方法。
【請求項４】
台板上に接着剤やスプレーボンドを用いて押し花を仮止めしながら押し花を配置あるいは台板上にホットメルトパウダーを位置させるとともに押し花を位置させ、加熱装置で押し花を仮止めしながら押し花を配置する押し花の配置工程と、防湿シートの外周部を除く部位に押し花保存剤を位置させるとともに、前記押し花の配置工程で押し花が配置された台板を位置させる台板の配置工程と、この押し花配置工程の後に前記台板の外周部に位置する前記防湿シートにリング状に接着剤あるいは粘着剤を塗布する接着剤あるいは粘着剤の塗布工程と、この接着剤あるいは粘着剤の塗布工程後に前記防湿シートを覆うように透明板を位置させ、外周部を前記接着剤あるいは粘着剤で空気抜き部を除いて固定する固定工程と、この固定工程後に前記空気抜き部よりパイプ材を用いて真空ポンプや口で透明板と防湿シート間の空気を外部へ排出して空気を抜き取り、パイプ材を抜き取り、空気抜き部を固定する空気抜き取り工程と、この空気抜き取り工程後に前記防湿シートの接着剤あるいは粘着剤が塗布された背面部位にしわ防止板を接着剤、粘着剤あるいは両面接着テープ等で枠状に固定するしわ防止固定工程とを含むことを特徴とする押し花飾の製造方法。
【発明の詳細な説明】
【０００１】
【発明の属する技術分野】
本発明は押し花を額縁等に収納して飾ることができる押し花飾の製造方法に関する。
【０００２】
【従来の技術】
従来の押し花飾はアルミ箔の上面に台紙と押し花を配置し、これらを覆うようにアクリル板を位置させ、該アクリル板の外周部と前記アルミ箔の外周部とを接着剤で密封状態に固定している。
【０００３】
【発明が解決しようとする課題】
従来の押し花飾は内部に台紙や押し花が配置されたアクリル板の外周部とアルミ箔の外周部とを接着剤で固定して密封しているが、接着剤で固定されるアルミ箔は柔らかく、接着部にしわが生じ、このしわによって密封状態を長期間保つことができないという欠点があった。
【０００４】
本発明は以上のような従来の欠点に鑑み、アルミ箔等の防湿シートの接着剤でガラス板あるいはアクリル板等の透明板に接着される部位にしわが生じるのを確実に防止することができるとともに、接着固定作業時に容易に確実に接着固定でき、かつ防湿シートを損傷させるのを確実に阻止することができる押し花飾の製造方法を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は防湿シートの外周部を除く部位に押し花保存剤を位置させるとともに、台板を位置させる台板の配置工程と、この台板の配置工程の前に台板上に押し花を配置する、あるいは台板等の配置工程後に台板上に押し花を配置する押し花の配置工程と、この押し花の配置工程後に前記台板の外周部に位置する前記防湿シートにリング状に接着剤あるいは粘着剤を塗布する接着剤あるいは粘着剤の塗布工程と、この接着剤あるいは粘着剤の塗布工程および前記押し花の配置工程後に前記防湿シートを覆うように透明板を位置させ、外周部を前記接着剤あるいは粘着剤で空気抜き部を除いて固定する固定工程と、この固定工程後に前記空気抜き部よりパイプ材を用いて真空ポンプや口で透明板と防湿シート間の空気を外部へ排出して空気を抜き取り、パイプ材を抜き取り、空気抜き部を固定する空気抜き取り工程と、この空気抜き取り工程後に前記防湿シートの接着剤あるいは粘着剤が塗布された背面部位にしわ防止板を接着剤、粘着剤あるいは両面接着テープ等で枠状に固定するしわ防止固定工程とで押し花飾の製造方法を構成している。
【０００７】
【発明の実施の形態】
以下、図面に示す実施の形態により、本発明を詳細に説明する。
【０００８】
図１ないし図８に示す本発明の第１の実施の形態において、１は防湿の軟質合成樹脂シートやアルミ箔等の方形の防湿シート２の外周部を除く部位に押し花保存剤３を位置させるとともに、台板４を位置させる台板等の配置工程で、この台板等の配置工程１で使用する押し花保存剤３は、脱酸素剤３ａや乾燥剤３ｂが選択的に使用される。
また、台板４は前記防湿シート２よりも小さい方形の厚紙や軟質合成樹脂板、紙に合成樹脂材をコーティングした合成板等が使用される。
【０００９】
５は前記台板等の配置工程１の前後に台板４上に押し花６を配置する押し花の配置工程で、この押し花の配置工程５は手作業で、デザインを考え、そのまま台板４上に配置したり、接着剤や接着テープ等を用いて仮止めしながら行なう。
なお、この押し花の配置工程５は台板４上に押し花６を配置する作業時間が短時間にできる場合には前記台板等の配置工程１の後に行い、作業時間が長くかかる場合には前記台板等の配置工程１の前に行ない、押し花保存剤３の性能の低下を防止する。
【００１０】
７は前記押し花の配置工程５の前後のいずれか、本発明の実施の形態では後に前記台板４の外周部に位置する前記防湿シート２にリング状に接着剤あるいは粘着剤８を塗布する接着剤あるいは粘着剤の塗布工程で、この接着剤あるいは粘着剤の塗布工程７は隙間が生じないようなリング状に接着剤あるいは粘着剤を塗布する。
【００１１】
９は前記接着剤あるいは粘着剤の塗布工程７後に前記防湿シート２を覆うように透明板１０を位置させ、外周部を前記接着剤あるいは粘着剤８で一部の空気抜き部を除いて固定する固定工程で、この固定工程９は防湿シート２の一部の角部の接着剤あるいは粘着剤８上に、空気抜き部１１となるパイプ材であるストロー１２を配置した後、透明板１０を位置させストロー１２の内部以外の隙間が生じないように防湿シート２と透明板１０とを接着剤あるいは粘着剤８で固定する。  なお、透明板１０はガラス板あるいはアクリル板等を用いる。
【００１２】
１３は前記固定工程９後にストロー１２より口で吸引して、防湿シート２と透明板１０との接着剤あるいは粘着剤８とで覆われた部位の空気を抜き取る空気抜き取り工程で、この空気抜き取り工程１３はストロー１２より空気を抜き取るとともに、十分に空気が抜き取れたところで、空気が内部に入らないようにストロー１２を抜き取りながら防湿シート２に塗布されている接着剤あるいは粘着剤８で空気抜き部１１を固定する。
【００１３】
１４は前記空気抜き取り工程１３後に前記防湿シート２の接着剤あるいは粘着材８が塗布された背面部位に、接着剤あるいは粘着材８が塗布され剥離紙１５で覆われたしわ防止板１６の剥離紙１５を除去して枠状に固定するしわ防止固定工程で、このしわ防止固定工程１４はしわ防止板１６を固定した後、一端部の上部より他端部の指先をスライドさせながら押し圧することにより、より確実に防湿シート２と透明板１０および防湿シート２としわ防止板１６とを固定させることができる。
【００１４】
上記のような方法で製造された押し花飾１７は、図８に示すように額縁１８に収納して飾られる。
【００１５】
【発明の異なる実施の形態】
次に、図９ないし図２１に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図９ないし図１１に示す本発明の第２の実施の形態において、前記本発明の第１の実施の形態と主に異なる点は、押し花保存剤３を含浸あるいは塗布した台板４Ａを用いて台板の配置工程１９を行なった点で、このような台板の配置工程１９を用いて構成した押し花飾の製造方法により押し花飾１７Ａを製造しても、前記本発明の第１の実施の形態と同様な作用効果が得られる。
【００１７】
図１２ないし図１４に示す本発明の第３の実施の形態において、前記本発明の第１の実施の形態と主に異なる点は、真空ポンプ２０を用いて空気を抜き取る空気抜き取り工程１３Ａを行なった点で、このような空気抜き取り工程１３Ａを用いて構成した押し花飾の製造方法により押し花飾１７を製造しても、前記本発明の第１の実施の形態と同様な作用効果が得られる。
【００１８】
図１５ないし図１８に示す本発明の第４の実施の形態において、前記本発明の第１の実施の形態と主に異なる点は、台板４上にホットメルトパウダー２１をスプレーあるいはふりかけ、押し花６を配置しながらアイロンや電気コテ２２等で押し花６を台板４上にホットメルトパウダー２１の溶着で仮止めしながら押し花を配置する押し花の配置工程５Ａと、アルミ箔等の防湿シート２の外周部を除く部位に押し花保存剤３を位置させるとともに、前記押し花の配置工程５Ａが完了した台板４を位置させる台板等の配置工程１Ａと、台板４の外周部に位置する防湿シート２にリング状に接着剤あるいは粘着剤８を塗布する接着剤あるいは粘着剤の塗布工程７を用いた点で、このような工程を用いて構成した押し花飾の製造方法により押し花飾１７Ｂを製造しても、前記本発明の第１の実施の形態と同様な作用効果が得られるとともに、押し花６が台板４から各種の作業中にずれたりするのを確実に防止することができる。
なお、本発明の実施の形態では押し花６を台板４に熱を加えると接着剤となるホットメルトパウダー２１を用いるものについて説明したが、接着剤や粘着剤を用いたり、接着テープ等を用いて押し花を台板に固定してもよい。
【００１９】
図１９ないし図２１に示す本発明の第５の実施の形態において、前記本発明の第１の実施の形態と主に異なる点は、剥離紙１５が取付けられた両面テープ２３が固定されたしわ防止板１６Ａを用いて、しわ防止固定工程１４Ａを行なった点で、このようなしわ防止固定工程１４Ａを用いて構成した押し花飾の製造方法により押し花飾１７Ｃを製造しても、前記本発明の第１の実施の形態と同様な作用効果が得られる。
【００２０】
図２２および図２３に示す本発明者が考えた押し花飾の製造方法において、前記本発明の第１の実施の形態と主に異なる点は、空気抜き取り工程１３後に防湿シート２の接着剤あるいは粘着剤８が塗布された背面部位に硬化樹脂２４を枠状に塗布して硬化させるしわ防止固定工程１４Ｂを行なった点で、このようなしわ防止固定工程１４Ｂを用いて構成した押し花飾の製造方法により押し花飾１７Ｄを製造しても良い。
なお、防湿シート２の接着剤あるいは粘着剤８が塗布された背面部位に塗布される硬化樹脂２４は熱硬化樹脂や紫外線硬化樹脂等の一般に使用されているものが使用され、塗布後の硬化は熱を加えたり、紫外線を照射して行う。
【００２１】
【発明の効果】
以上の説明から明らかなように、本発明にあっては次に列挙する効果が得られる。
【００２２】
（１）防湿シートの外周部を除く部位に押し花保存剤を位置させるとともに、台板を位置させる台板の配置工程と、この台板の配置工程の前に台板上に押し花を配置する、あるいは台板等の配置工程後に台板上に押し花を配置する押し花の配置工程と、この押し花の配置工程後に前記台板の外周部に位置する前記防湿シートにリング状に接着剤あるいは粘着剤を塗布する接着剤あるいは粘着剤の塗布工程と、この接着剤あるいは粘着剤の塗布工程および前記押し花の配置工程後に前記防湿シートを覆うように透明板を位置させ、外周部を前記接着剤あるいは粘着剤で空気抜き部を除いて固定する固定工程と、この固定工程後に前記空気抜き部よりパイプ材を用いて真空ポンプや口で透明板と防湿シート間の空気を外部へ排出して空気を抜き取り、パイプ材を抜き取り、空気抜き部を固定する空気抜き取り工程と、この空気抜き取り工程後に前記防湿シートの接着剤あるいは粘着剤が塗布された背面部位にしわ防止板を接着剤、粘着剤あるいは両面接着テープ等で枠状に固定するしわ防止固定工程とからなるので、しわ防止固定工程のしわ防止板によって防湿シートに時間が経つにしたがって生じるしわを確実に防止することができる。
したがって、防湿シートと透明板との密封状態での接着あるいは粘着固定状態が保たれ、長期間押し花が劣化したり、変色するのを阻止することができる。
【００２３】
（２）前記（１）によって、防湿シートの接着剤あるいは粘着剤塗布面の背面にしわ防止板を枠状に固定するだけでよいので、容易に、楽な作業で行なうことができる。
【００２４】
（３）前記（１）によって、しわ防止板を用いることにより、しわ防止板を防湿シートに固定する場合、しわ防止板を防湿シートに押し圧して行なうため、この作業時に防湿シートと透明板との接着剤あるいは粘着剤の塗布面で押し圧され、該部の固定も行なうことができる。
したがって、効率よく防湿シート、透明板、しわ防止板の固定を行なうことができるとともに、従来のように直接接着剤等が塗布された部位の防湿シートを押し圧しなくてもよく、防湿シートの損傷を効率よく阻止することができる。
【００２５】
（４）請求項２、３も前記（１）〜（３）と同様な効果が得られる。
【図面の簡単な説明】
【図１】本発明の第１の実施の形態の工程図。
【図２】本発明の第１の実施の形態の台板等の配置工程の説明図。
【図３】本発明の第１の実施の形態の押し花の配置工程の説明図。
【図４】接着剤あるいは粘着剤の塗布工程の説明図。
【図５】本発明の第１の実施の形態の固定工程の説明図。
【図６】本発明の第１の実施の形態の空気抜き取り工程の説明図。
【図７】本発明の第１の実施の形態のしわ防止固定工程の説明図。
【図８】本発明の第１の実施の形態の額縁に収納した状態の説明図。
【図９】本発明の第２の実施の形態の工程図。
【図１０】本発明の第２の実施の形態の台板の配置工程の説明図。
【図１１】本発明の第２の実施の形態の押し花飾の説明図。
【図１２】本発明の第３の実施の形態の工程図。
【図１３】本発明の第３の実施の形態の空気抜き取り工程の説明図。
【図１４】本発明の第３の実施の形態の押し花飾の説明図。
【図１５】本発明の第４の実施の形態の工程図。
【図１６】本発明の第４の実施の形態の押し花の配置工程の説明図。
【図１７】本発明の第４の実施の形態の台板等の配置工程の説明図。
【図１８】本発明の第４の実施の形態の押し花飾の説明図。
【図１９】本発明の第５の実施の形態の工程図。
【図２０】本発明の第５の実施の形態のしわ防止固定工程の説明図。
【図２１】本発明の第５の実施の形態のしわ防止板の説明図。
【図２２】本発明者が考えた押し花飾の製造方法の工程図。
【図２３】本発明者が考えた押し花飾の製造方法のしわ防止固定工程の説明図。
【符号の説明】
１、１Ａ：台板等の配置工程、
２：防湿シート、        ３：押し花保存剤、
４、４Ａ：台板、        ５：押し花の配置工程、
６：押し花、
７：接着剤あるいは粘着剤の塗布工程、
８：接着剤あるいは粘着剤、
９：固定工程、          １０：透明板、
１１：空気抜き部、
１２：パイプ材であるストロー、
１３、１３Ａ：空気抜き取り工程、
１４、１４Ａ、１４Ｂ：しわ防止固定工程、
１５：剥離紙、          １６、１６Ａ：しわ防止板、
１７、１７Ａ、１７Ｂ、１７Ｃ、１７Ｄ：押し花飾、
１８：額縁、            １９：台板の配置工程、
２０：真空ポンプ、      ２１：ホットメルトパウダー、
２２：アイロンや電気コテ、
２３：両面テープ        ２４：硬化樹脂。
【図１】
0004135860.tif 000002
【図２】
0004135860.tif 000003
【図３】
0004135860.tif 000004
【図４】
0004135860.tif 000005
【図５】
0004135860.tif 000006
【図６】
0004135860.tif 000007
【図７】
0004135860.tif 000008
【図８】
0004135860.tif 000009
【図９】
0004135860.tif 000010
【図１０】
0004135860.tif 000011
【図１１】
0004135860.tif 000012
【図１２】
0004135860.tif 000013
【図１３】
0004135860.tif 000014
【図１４】
0004135860.tif 000015
【図１５】
0004135860.tif 000016
【図１６】
0004135860.tif 000017
【図１７】
0004135860.tif 000018
【図１８】
0004135860.tif 000019
【図１９】
0004135860.tif 000020
【図２０】
0004135860.tif 000021
【図２１】
0004135860.tif 000022
【図２２】
0004135860.tif 000023
【図２３】
0004135860.tif 000024